(57)【要約】  本発明は、ペットに起因する冷暖房装置の故障を回避しつつ、小さいエネルギーコストでペットの飼育部屋の温度調節等を行うことができるペットハウスを提供することを目的する。  ペットハウスの飼育部屋１００の天井裏に、エアコンを構成するコンプレッサーＥや、冷房用熱交換器Ｋ、ガス圧縮放熱熱交換器Ａ、送風機Ｃ，Ｉ、ヒータＪ等が配置されている。コンプレッサーＥや、冷房用熱交換器Ｋ、ガス圧縮放熱熱交換器Ａ等を用い蒸気圧縮冷凍サイクルを利用して飼育部屋１００の冷房が行われ、ヒータＪを使用して飼育部屋１００の暖房が行われる。冷房動作において、冷房用熱交換器Ｋで発生したドレイン水は、ドレイン水受け皿Ｈ１から蒸発用受け皿Ｈ２に送られ、蒸発フィルタＢで吸い上げられる。この蒸発フィルタＢに対しガス圧縮用熱交換器Ａからの熱を含む送風が行われることにより、ドレイン水が蒸発する。
2009008067.tif 000002
【特許請求の範囲】
【請求項１】
愛玩動物を飼育するためのペットハウスであって、
愛玩動物を収容するための飼育部屋と、
前記飼育部屋の天井裏に配置され、蒸気圧縮冷凍サイクルを利用して前記飼育部屋を冷房する冷房装置と
を備える、ペットハウス。
【請求項２】
前記冷房装置は、
気体の所定冷媒を圧縮するための圧縮機と、
外気を取り込むための第１の送風機と、
前記圧縮機で圧縮された前記冷媒を前記第１の送風機による外気の送風により冷却して液化するための第１の熱交換器と、
前記第１の熱交換器において液化した前記冷媒を気化させるための第２の熱交換器と、
前記飼育部屋の空気を取り込んで前記第２の熱交換器に送り、前記第２の熱交換器を通過した空気を前記飼育部屋に戻すための第２の送風機と
を含む、請求項１に記載のペットハウス。
【請求項３】
前記第２の送風機によって前記飼育部屋に戻されるべき空気が通過するように配置されたヒータを更に備える、請求項２に記載のペットハウス。
【請求項４】
前記飼育部屋の天井裏に配置され、前記飼育部屋の温度および湿度を検出する検出器と、
前記飼育部屋の天井裏に配置され、前記検出器による検出結果に基づいて前記圧縮機と第１および第２の送風機と前記ヒータとを動作させる電装ボックスと
を更に備える、請求項３に記載のペットハウス。
【請求項５】
前記第２の熱交換器において生じるドレイン水を、前記圧縮機が前記冷媒を圧縮することにより生じる熱を利用して蒸発させるための蒸発装置を更に備える、請求項２に記載のペットハウス。
【請求項６】
前記蒸発装置は、
前記第２の熱交換器で生じるドレイン水を受け取るための第１の容器と、
前記第１の熱交換器の近傍に配置された第２の容器と、
前記ドレイン水を前記第１の容器から前記第２の容器に移送するための管路と、
前記第２の容器から前記ドレイン水を吸い上げる蒸発フィルタと
を含み、
前記第２の送風機は、前記第１の熱交換器を通過した前記外気が前記蒸発フィルタを通過するように当該外気を前記蒸発フィルタに送る、請求項５に記載のペットハウス。
【請求項７】
前記蒸発装置は、
前記第２の熱交換器で生じるドレイン水を受け取るための第１の容器と、
前記第１の熱交換器の近傍に配置された第２の容器と、
前記ドレイン水を前記第１の容器から前記第２の容器に移送するための管路と、
前記圧縮機で圧縮された前記冷媒を前記第１の熱交換器に移送するための銅管であって前記第２の容器内に配設された銅管と
を含む、請求項５に記載のペットハウス。
【請求項８】
前記飼育部屋の天井裏に、第１および第２室を含む機械室が設けられており、
前記第１の熱交換器および第１の送風機は前記第１室内に配置され、
前記第１室は、前記第１の送風機によって外気を取り込むための吸気口、および、前記第１の熱交換器を通過した前記外気を排出するための排気口を有し、
前記第２の熱交換器および第２の送風機は前記第２室内に配置され、
前記第２室は、前記飼育部屋から空気を取り込むための循環口、および、当該取り込まれた空気を前記第２の熱交換器を通過させた後に前記飼育部屋に戻すための循環口を有し、
前記第１室と前記第２室とは、前記第１室と前記第２室の間での空気の流れを遮断する間仕切りで仕切られている、請求項２に記載のペットハウス。
【請求項９】
前記飼育部屋から取り込まれる空気の温度を検出する温度検出器と、
前記温度検出器による検出結果に基づいて前記圧縮機ならびに第１および第２の送風機を動作させる電装ボックスと
を更に備える、請求項８に記載のペットハウス。
【請求項１０】
前記飼育部屋から前記天井裏に空気が取り込まれてから当該空気が前記第２の熱交換器を通過して前記飼育部屋に戻されるまでの当該空気の流路中に配置された殺虫剤蒸散装置を更に備える、請求項２に記載のペットハウス。
【請求項１１】
前記飼育部屋から前記天井裏に空気が取り込まれてから当該空気が前記第２の熱交換器を通過して前記飼育部屋に戻されるまでの当該空気の流路中に配置された除菌装置を更に備える、請求項２に記載のペットハウス。
【請求項１２】
前記飼育部屋から前記天井裏に空気が取り込まれてから当該空気が前記第２の熱交換器を通過して前記飼育部屋に戻されるまでの当該空気の流路中に配置された脱臭装置を更に備える、請求項２に記載のペットハウス。
【請求項１３】
前記飼育部屋の上に取り付けられた上部ユニットと、
前記飼育部屋と前記上部ユニットとの間に介在する防振機構とを更に備え、
前記上部ユニットは機械室を含み、
前記冷房装置は前記機械室の内部に配置されている、請求項１に記載のペットハウス。
【請求項１４】
前記上部ユニットと前記飼育部屋を含む本体ユニットとに分離可能に構成されている、請求項１３に記載のペットハウス。
【請求項１５】
前記防振機構は、それぞれが弾性体と当該弾性体の少なくとも一方の端部に固定された剛性の突出部とを含む複数個の防振部材からなり、
各防振部材は、前記突出部が固定される端部とは反対側の端部を前記上部ユニットまたは前記本体ユニットの一方に固定され、
前記上部ユニットまたは前記本体ユニットの他方は、各防振部材の前記突出部が挿入されるべき穴を有している、請求項１４に記載のペットハウス。
【請求項１６】
前記機械室と前記飼育部屋との間で空気を流通させるための第１および第２のダクトを更に備え、
前記飼育部屋は、上面を形成する天井部材を含み、
前記機械室は、下面を形成する床部材を含み、
前記防振機構は、前記上部ユニットが前記本体ユニットから分離可能なように前記飼育部屋の天井部材と前記機械室の床部材との間に介在し、
前記機械室の床部材は、前記冷房装置で冷却された空気を送り出すための第１の循環口、および、前記飼育部屋から空気を取り込むための第２の循環口を有し、
前記飼育部屋の天井部材は、前記第１のダクトを介して前記第１の循環口と連通する第３の循環口、および、前記第２のダクトを介して前記第２の循環口と連通する第４の循環口を有し、
前記飼育部屋の天井部材または前記機械室の床部材の少なくとも一方は、前記第１および第２のダクトのそれぞれの少なくとも一方の端部が圧接するように配置された弾性部材を含み、
前記冷房装置は、前記飼育部屋の空気を前記第４の循環口、前記第２のダクトおよび前記第２の循環口を介して取り込んで冷却し、当該冷却された空気を前記第１の循環口、前記第１のダクトおよび前記第３の循環口を介して前記飼育部屋に戻す、請求項１４に記載のペットハウス。
【請求項１７】
前記冷房装置は、
気体の所定冷媒を圧縮するための圧縮機と、
外気を取り込むための第１の送風機と、
前記圧縮機で圧縮された前記冷媒を前記第１の送風機による外気の送風により冷却して液化するための第１の熱交換器と、
前記第１の熱交換器において液化した前記冷媒を気化させるための第２の熱交換器と、
前記飼育部屋の空気を取り込んで前記第２の熱交換器に送り、前記第２の熱交換器を通過した空気を前記飼育部屋に戻すための第２の送風機と
を含み、
前記機械室は、第１および第２室を含み、
前記第１の熱交換器および第１の送風機は前記第１室内に配置され、
前記第１室は、前記第１の送風機によって外気を取り込むための吸気口、および、前記第１の熱交換器を通過した前記外気を排出するための排気口を有し、
前記第２の熱交換器および第２の送風機は前記第２室内に配置され、
前記第２室は、前記第１および第２の循環口を有し、
前記第２の送風機は、前記第２の循環口を介して前記飼育部屋から空気を取り込んで前記第２の熱交換器に送り、前記第２の熱交換器を通過した空気を前記第１の循環口を介して前記飼育部屋に戻し、
前記第１室と前記第２室とは、前記第１室と前記第２室の間での空気の流れを遮断する間仕切りで仕切られている、請求項１６に記載のペットハウス。
【発明の詳細な説明】
【技術分野】
【０００１】
本発明は、犬や猫等のペット（愛玩動物）の飼育部屋の温度調節または温度および湿度調節を行うことにより良好な飼育環境を提供するペットハウスに関する。
【背景技術】
【０００２】
従来、ペット等の飼育部屋では、家庭用の冷暖房機、送風機、または自然の風等により温度調節や湿度調節が行われていた。このような本願発明に関連する技術が日本の特開２０００−１５７０８１号公報や日本の特開２０００−１１６２６３号公報等に記載されている。
【特許文献１】日本の特開２０００−１５７０８１号公報
【特許文献２】日本の特開２０００−１１６２６３号公報
【発明の開示】
【発明が解決しようとする課題】
【０００３】
家庭用の冷暖房用の機器による温度調節や湿度調節は、冷暖房容積が大きいことから、このような機器をペットの飼育部屋の温度調節等に使用すると、必要以上にエネルギーコストを要し、不経済である。また、ペットの糞尿やペットによる冷暖房用機器の転倒等によって冷暖房用機器が故障することも多い。一方、屋外でペットを飼育すると、夏の暑い時期にペットが熱中症になることがある。また、冬の厳しい寒さにペットが耐え難い場合もある。【０００４】
そこで本発明の目的は、ペットに起因する冷房または暖房用機器の故障を回避しつつ、小さいエネルギーコストでペットの飼育部屋の温度調節または温度および湿度調節を行うことができるペットハウスを提供することである。
【課題を解決するための手段】
【０００５】
本発明の第１の局面は、愛玩動物を飼育するためのペットハウスであって、
愛玩動物を収容するための飼育部屋と、
前記飼育部屋の天井裏に配置され、蒸気圧縮冷凍サイクルを利用して前記飼育部屋を冷房する冷房装置とを備えることを特徴とする。【０００６】
本発明の第２の局面は、本発明の第１の局面において、
前記冷房装置は、
気体の所定冷媒を圧縮するための圧縮機と、
外気を取り込むための第１の送風機と、
前記圧縮機で圧縮された前記冷媒を前記第１の送風機による外気の送風により冷却して液化するための第１の熱交換器と、
前記第１の熱交換器において液化した前記冷媒を気化させるための第２の熱交換器と、
前記飼育部屋の空気を取り込んで前記第２の熱交換器に送り、前記第２の熱交換器を通過した空気を前記飼育部屋に戻すための第２の送風機とを含むことを特徴とする。【０００７】
本発明の第３の局面は、本発明の第２の局面において、
前記第２の送風機によって前記飼育部屋に戻されるべき空気が通過するように配置されたヒータを更に備えることを特徴とする。【０００８】
本発明の第４の局面は、本発明の第３の局面において、
前記飼育部屋の天井裏に配置され、前記飼育部屋の温度および湿度を検出する検出器と、
前記飼育部屋の天井裏に配置され、前記検出器による検出結果に基づいて前記圧縮機と第１および第２の送風機と前記ヒータとを動作させる電装ボックスとを更に備えることを特徴とする。【０００９】
本発明の第５の局面は、本発明の第２の局面において、
前記第２の熱交換器において生じるドレイン水を、前記圧縮機が前記冷媒を圧縮することにより生じる熱を利用して蒸発させるための蒸発装置を更に備えることを特徴とする。【００１０】
このような構成において、
前記蒸発装置は、
前記第２の熱交換器で生じるドレイン水を受け取るための第１の容器と、
前記第１の熱交換器の近傍に配置された第２の容器と、
前記ドレイン水を前記第１の容器から前記第２の容器に移送するための管路と、
前記第２の容器から前記ドレイン水を吸い上げる蒸発フィルタとを含み、
前記第２の送風機は、前記第１の熱交換器を通過した前記外気に前記蒸発フィルタを通過させる構成とすることができる。
また、このような構成において、
前記蒸発装置は、
前記第２の熱交換器で生じるドレイン水を受け取るための第１の容器と、
前記第１の熱交換器の近傍に配置された第２の容器と、
前記ドレイン水を前記第１の容器から前記第２の容器に移送するための管路と、
前記圧縮機で圧縮された前記冷媒を前記第１の熱交換器に移送するための銅管であって前記第２の容器内に配設された銅管とを含む構成としてもよい。【００１１】
本発明の第６の局面は、本発明の第２の局面において、
前記飼育部屋の天井裏に、第１および第２室を含む機械室が設けられており、
前記第１の熱交換器および第１の送風機は前記第１室内に配置され、
前記第１室は、前記第１の送風機によって外気を取り込むための吸気口、および、前記第１の熱交換器を通過した前記外気を排出するための排気口を有し、
前記第２の熱交換器および第２の送風機は前記第２室内に配置され、
前記第２室は、前記飼育部屋から空気を取り込むための循環口、および、当該取り込まれた空気を前記第２の熱交換器を通過させた後に前記飼育部屋に戻すための循環口を有し、
前記第１室と前記第２室とは、前記第１室と前記第２室の間での空気の流れを遮断する間仕切りで仕切られていることを特徴とする。【００１２】
このような構成において、
前記飼育部屋から取り込まれる空気の温度を検出する温度検出器と、
前記温度検出器による検出結果に基づいて前記圧縮機ならびに第１および第２の送風機を動作させる電装ボックスとを更に備えることが好ましい。【００１３】
本発明の第７の局面は、本発明の第２の局面において、
前記飼育部屋から前記天井裏に空気が取り込まれてから当該空気が前記第２の熱交換器を通過して前記飼育部屋に戻されるまでの当該空気の流路中に配置された殺虫剤蒸散装置を更に備えることを特徴とする。【００１４】
このような構成において、殺虫剤蒸散装置に代えて又はこれと共に、除菌装置または消臭装置を備える構成としてもよい。【００１５】
本発明の第８の局面は、本発明の第１の局面において、
前記飼育部屋の上に取り付けられた上部ユニットと、
前記飼育部屋と前記上部ユニットとの間に介在する防振機構とを更に備え、
前記上部ユニットは機械室を含み、
前記冷房装置は前記機械室の内部に配置されていることを特徴とする。【００１６】
本発明の第９の局面は、本発明の第８の局面において、
前記上部ユニットと前記飼育部屋を含む本体ユニットとに分離可能に構成されていることを特徴とする。【００１７】
本発明の第１０の局面は、本発明の第９の局面において、
前記防振機構は、それぞれが弾性体と当該弾性体の少なくとも一方の端部に固定された剛性の突出部とを含む複数個の防振部材からなり、
各防振部材は、前記突出部が固定される端部とは反対側の端部を前記上部ユニットまたは前記本体ユニットの一方に固定され、
前記上部ユニットまたは前記本体ユニットの他方は、各防振部材の前記突出部が挿入されるべき穴を有していることを特徴とする。【００１８】
本発明の第１１の局面は、本発明の第９の局面において、
前記機械室と前記飼育部屋との間で空気を流通させるための第１および第２のダクトを更に備え、
前記飼育部屋は、上面を形成する天井部材を含み、
前記機械室は、下面を形成する床部材を含み、
前記防振機構は、前記上部ユニットが前記本体ユニットから分離可能なように前記飼育部屋の天井部材と前記機械室の床部材との間に介在し、
前記機械室の床部材は、前記冷房装置で冷却された空気を送り出すための第１の循環口、および、前記飼育部屋から空気を取り込むための第２の循環口を有し、
前記飼育部屋の天井部材は、前記第１のダクトを介して前記第１の循環口と連通する第３の循環口、および、前記第２のダクトを介して前記第２の循環口と連通する第４の循環口を有し、
前記飼育部屋の天井部材または前記機械室の床部材の少なくとも一方は、前記第１および第２のダクトのそれぞれの少なくとも一方の端部が圧接するように配置された弾性部材を含み、
前記冷房装置は、前記飼育部屋の空気を前記第４の循環口、前記第２のダクトおよび前記第２の循環口を介して取り込んで冷却し、当該冷却された空気を前記第１の循環口、前記第１のダクトおよび前記第３の循環口を介して前記飼育部屋に戻すことを特徴とする。【００１９】
本発明の第１２の局面は、本発明の第１１の局面において、
前記冷房装置は、
気体の所定冷媒を圧縮するための圧縮機と、
外気を取り込むための第１の送風機と、
前記圧縮機で圧縮された前記冷媒を前記第１の送風機による外気の送風により冷却して液化するための第１の熱交換器と、
前記第１の熱交換器において液化した前記冷媒を気化させるための第２の熱交換器と、
前記飼育部屋の空気を取り込んで前記第２の熱交換器に送り、前記第２の熱交換器を通過した空気を前記飼育部屋に戻すための第２の送風機とを含み、
前記機械室は、第１および第２室を含み、
前記第１の熱交換器および第１の送風機は前記第１室内に配置され、
前記第１室は、前記第１の送風機によって外気を取り込むための吸気口、および、前記第１の熱交換器を通過した前記外気を排出するための排気口を有し、
前記第２の熱交換器および第２の送風機は前記第２室内に配置され、
前記第２室は、前記第１および第２の循環口を有し、
前記第２の送風機は、前記第２の循環口を介して前記飼育部屋から空気を取り込んで前記第２の熱交換器に送り、前記第２の熱交換器を通過した空気を前記第１の循環口を介して前記飼育部屋に戻し、
前記第１室と前記第２室とは、前記第１室と前記第２室の間での空気の流れを遮断する間仕切りで仕切られていることを特徴とする。
【発明の効果】
【００２０】
本発明の第１の局面によれば、ペットの飼育部屋という小さい容量の空間のみが冷房されるので、家庭用のエアコン等を利用してペットハウスの冷房を行う場合に比べ、温度（または温度および湿度）を調節するためのエネルギーコストを小さくすることができる。したがって、低コストで、夏の暑い時期にペットを熱中症から守ることができる。また、冷房のための装置が飼育部屋の天井裏に配置されているので、冷房装置を構成する機器にペットが接触したり近接したりすることがないので、ペットに起因する冷房装置の故障を防止することができる。【００２１】
本発明の第２の局面によれば、圧縮機や第１および第２の送風機を動作させることにより飼育部屋の冷房が行われる。すなわち、気体の冷媒が圧縮機で圧縮され、その圧縮後の冷媒は、第１の送風機により外気を送風される第１の熱交換器において液化する。この液化した冷媒が第２の熱交換器で気化し、そのときの気化熱で周囲の空気が冷やされ、その冷やされた空気が第２の送風機で飼育部屋に送られる。【００２２】
本発明の第３の局面によれば、ヒータおよび第２の送風機を動作させることにより、季節や外部の温度に応じて飼育部屋の冷房のみならず暖房も行うことができる。そして、ペットの飼育部屋という小さい容量の空間のみが冷暖房されるので、家庭用のエアコン等を利用してペットハウスの冷暖房を行う場合に比べ、温度（または温度および湿度）を調節するためのエネルギーコストを小さくすることができる。したがって、低コストで、夏の暑い時期にペットを熱中症から守ると共に、冬の厳しい寒さからペットを守ることができる。また、冷暖房のための装置が飼育部屋の天井裏に配置されているので、ペットに起因する冷暖房装置の故障を防止することができる。【００２３】
本発明の第４の局面によれば、飼育部屋の温度および湿度の検出結果に基づいて圧縮機と第１および第２の送風機とヒータとを動作させることにより、飼育部屋の温度および湿度を自動的に調節することできる。【００２４】
本発明の第５の局面によれば、冷房時に第２の熱交換器において生じるドレイン水がペットハウス内で蒸発し、ドレイン水がペットハウスから排出されないので、ペットの飼い主の家屋外のみならず家屋内でも当該ペットハウスを使用することができる。なお、ドレイン水の蒸発に、圧縮機が冷媒を圧縮することにより生じる熱が利用されるので、効率よくドレイン水を蒸発させることができる。ここで、第２の熱交換器で生じるドレイン水を第１の容器で受け取り管路で第１の熱交換器近傍の第２の容器に移送し、その第２の容器からドレイン水を蒸発フィルタに吸い上げさせ、第１の熱交換器からの熱を含む外気を当該蒸発フィルタに送風する構成とすることができる。この構成によれば、更に効率よくドレイン水を蒸発させることができる。また、前記圧縮機で圧縮された冷媒を第１の熱交換器に移送するための銅管を第２の容器内に配設することにより、当該銅管内の冷媒の熱をドレイン水の蒸発に利用してもよい。【００２５】
本発明の第６または第１２の局面によれば、飼育部屋の天井裏に設けられた機械室のうち第１室に外気を取り込んで第１の熱交換器に送風することで、圧縮された冷媒が液化し、第１の熱交換器を通過した外気は第１室から外部へ排出される。また、飼育部屋から取り込まれた空気を第２室における第２の熱交換器に送風することで当該空気が冷却され、冷却後の空気が第２室から飼育部屋に戻される。このようにして、冷房のための全ての装置が天井裏の機械室の内部に配置され、かつ、圧縮された冷媒の放熱のための外気の流れと飼育部屋の冷房のための空気の流れとが分離されるように機械室が構成されている。したがって、冷房のための各装置をペットから隔離してペットに起因する冷房装置の故障を回避しつつ、冷房装置を適切に動作させることができる。また、このような構成において、飼育部屋から取り込まれる空気の温度を検出し、その検出温度に基づいて圧縮機および第１および第２の送風機を動作させるのが好ましい。このようにすれば、冷房時において飼育部屋の温度を自動的に調節することができる。【００２６】
本発明の第７の局面によれば、飼育部屋の冷房のための空気の循環流路中に殺虫剤蒸散装置が配置されるので、蒸散した殺虫剤が冷房のための空気の流れにしたがって流れていき、冷房機能と殺虫機能とが同時に実現される。犬の伝染病の一種であるフェラリアは蚊を介して感染し夏に感染が広がりやすいので、夏の暑い時期においては、このように冷房機能と殺虫機能とを組み合わせた構成は効果的である。また、このような構成において、殺虫剤蒸散装置に代えて又はこれと共に、除菌装置または消臭装置を備える構成とすることにより、冷房機能と除菌機能または消臭機能とを同時に実現することができる。【００２７】
本発明の第８の局面によれば、飼育部屋の上に防振機構を介して上部ユニットが取り付けられ、その上部ユニットに含まれる機械室の内部に、蒸気圧縮冷凍サイクルを利用した冷房装置が配置されている。このため、小さいエネルギーコストで十分な冷房機能を提供しつつ、その冷房装置を構成する圧縮機等の振動が飼育部屋に伝搬するのを防振機構によって抑制することができる。【００２８】
本発明の第９の局面によれば、ペットハウスは飼育部屋を含む本体ユニットと機械室を含む上部ユニットとに分離可能であるので、飼育部屋が損傷した場合等に本体ユニットのみを容易に交換し、冷房装置を含む上部ユニットを継続して使用することができる。これにより、冷房機能を有するペットハウスを使用するためのコストを低く抑えることができる。また、本体ユニット（の飼育部屋）の天井部材を取り外し可能な構成とすれば、上部ユニットを本体ユニットから分離することで飼育部屋の掃除が容易となる。【００２９】
本発明の第１０の局面によれば、上部ユニットまたは本体ユニットの一方に固定された各防振部材の突出部が上部ユニットまたは本体ユニットの他方（に形成された穴）に挿入されることで、上部ユニットと本体ユニットとが分離可能に結合される。したがって、防振機構を構成する防振部材の取り付けを利用することによって、上部ユニットと本体ユニットとを簡易な構成で分離できるようになっている。【００３０】
本発明の第１１の局面によれば、飼育部屋を冷房すべく飼育部屋と機械室との間で空気を循環させるために第１および第２のダクトが設けられており、各ダクトは、少なくとも一方の端部が弾性体に圧接する構成となっている。したがって、ペットハウスを上部ユニットと本体ユニットとに容易に分離可能な構成とし、かつ、防振機構による防振機能を損なうことなく、飼育部屋と機械室との間での空気の流通機能を確保することができる。
【図面の簡単な説明】
【００３１】
【図１】本発明の第１の実施形態に係るペットハウスの構成を模式的に示す斜視図である。
【図２】上記第１の実施形態に係るペットハウスにおける機械室および当該機械室に配置された冷暖房装置（エアコン）を示す平面図である。
【図３】上記第１の実施形態に係るペットハウスの構成を示す左側面図である。
【図４】上記第１の実施形態に係るペットハウスの構成を示す右側面図である。
【図５】上記第１の実施形態に係るペットハウスの外観を示す正面図である。
【図６】上記第１の実施形態に係るペットハウスの外観を示す背面図である。
【図７】上記第１の実施形態に係るペットハウスの天井に設けられた冷暖房用の空気噴出口および吸込口を示す図である。
【図８】上記第１の実施形態に係るペットハウスのエアコンにおいて生じるドレイン水を蒸発させるための構成を示す平面図である。
【図９】上記第１の実施形態に係るペットハウスのエアコンにおいて生じるドレイン水を蒸発させるための構成を示す正面図である。
【図１０】上記第１の実施形態の変形例に係るペットハウスの構成を示す側面図である。
【図１１】上記第１の実施形態の他の変形例に係るペットハウスの構成を示す側面図である。
【図１２】上記第１の実施形態に係るペットハウスのエアコンにおいて生じるドレイン水を蒸発させるための他の構成を示す平面図である。
【図１３】上記第１の実施形態に係るペットハウスのエアコンにおいて生じるドレイン水を蒸発させるための上記他の構成を示す側面図である。
【図１４】本発明の第２の実施形態に係るペットハウスの外観を示す正面図である。
【図１５】上記第２の実施形態に係るペットハウスの外観を示す背面図である。
【図１６】上記第２の実施形態に係るペットハウスにおいて屋根側ユニットを取り外したときの本体ユニットの外観を示す平面図である。
【図１７】上記第２の実施形態に係るペットハウスの外観を示す側面図である。
【図１８】上記第２の実施形態に係るペットハウスの内部構成を示す側面図である。
【図１９】上記第２の実施形態に係るペットハウスの屋根側ユニットを本体ユニットから分離した状態の内部構成を示す側面図である。
【図２０】上記第２の実施形態における防振機構を説明するための断面図である。
【図２１】上記第２の実施形態におけるダクト取り付け部の構成を説明するための断面図である。
【符号の説明】
【００３２】
Ａ  …圧縮ガス放熱熱交換器（第１の熱交換器）
Ｂ  …蒸発フィルタ
Ｃ  …第１の送風機
Ｄ  …コンプレッサー銅パイプ
Ｅ  …コンプレッサー（圧縮機）
Ｆ  …ガス圧縮タンク
Ｇ  …冷暖気循環口（第１の循環口）
Ｈ１…ドレイン水受け皿（第１の容器）
Ｈ２…蒸発用受け皿（第２の容器）
Ｉ  …第２の送風機
Ｊ  …ヒータ
Ｋ  …冷房用熱交換器（第２の熱交換器）
Ｌ  …空気循環口（第２の循環口）
Ｍ  …熱感知器（サーモスタット）または温度検出器
Ｍ２…温度・湿度検出器
Ｎ  …電装ボックス
Ｏ  …ごみフィルター
Ｐ  …外気
Ｑ  …ドレインパイプ（管路）
Ｒ１，Ｒ２  …機械室の間仕切り
Ｓ  …機械室（飼育部屋の天井裏）
Ｕ  …飼育部屋の空気
Ｖ  …ごみフィルター
Ｗ  …電源・温度設定スイッチ
Ｘ  …出入口
１０    …防振部材
１１    …本体部（弾性体）
１１ａ  …第１の側突出部
１１ｂ  …第２の突出部
１２    …ナット
１４    …穴補強金具
２０    …ダクト
２０Ｇ  …第１のダクト
２０Ｌ  …第２のダクト
２２    …スポンジ部材（弾性部材）
１００  …飼育部屋
１００ｕ…本体ユニット
１２０  …天井（天井部材）
１２１  …冷暖空調噴出口（第３の循環口）
１２２  …冷暖空調吸込口（第４の循環口）
１３０  …床（床部材）
２００  …屋根（屋根部材）
２００ｕ…屋根側ユニット（上部ユニット）
２０１  …第１室
２０２  …第２室
２０３  …第３室
２１２  …銅管
２２１  …背面側切妻壁
２２２  …正面側切妻壁
２３１  …排気口
２３２  …吸気口
２３３  …開口部
２５０  …電子蚊取り器（殺虫剤蒸散装置）
【発明を実施するための最良の形態】
【００３３】
以下、添付図面を参照して本発明の実施形態について説明する。
＜１．第１の実施形態＞
図１は、本発明の第１の実施形態に係るペットハウスの構成を模式的に示す斜視図である。図２は、このペットハウスにおける機械室および当該機械室内に配置された冷暖房装置としてのエアコン（air conditioner）を示す平面図である。図３は、このペットハウスの構成を示す左側面図である。図４は、このペットハウスの構成を示す右側面図である。図５は、このペットハウスの外観を示す正面図である。図６は、このペットハウスの外観を示す背面図である。図７は、このペットハウスの飼育部屋１００の天井に設けられた冷暖房用の空気噴出口１２１および吸込口１２２を示す図である。図８は、このペットハウスが備えるエアコンの構成要素としての圧縮ガス放熱熱交換器Ａ、蒸発フィルタＢ、送風機Ｃ、および蒸発用受け皿Ｈ２を示す平面図である。図９は、これらの圧縮ガス放熱熱交換器Ａ、蒸発フィルタＢ、送風機Ｃ、および蒸発用受け皿Ｈ２を示す正面図である。【００３４】
＜１．１  概要＞
本実施形態に係るペットハウスでは、犬や猫等のペットの飼育部屋の天井裏に、小型化された冷暖房装置としてのエアコンが取り付けられており、このエアコンによって冷暖房が行われる。すなわち、冷房については、コンプレッサー（圧縮機）Ｅのガスの気化熱の冷却により、室内が冷やされる。暖房については、ヒータＪで暖められる。このような冷暖房がサーモスタット（熱感知機）または温度検出器Ｍを使用して行われることで、飼育部屋の温度、湿度が自動管理される。なお、上記構成からヒータＪを除去されると、本実施形態におけるエアコンは冷房装置となる。【００３５】
上記エアコンを構成する冷房用熱交換器Ｋから発生するドレイン水（結露水）は、ドレインパイプＱでドレイン水受け皿Ｈ１から蒸発用受け皿Ｈ２（図８、図９参照）に流れ、蒸発フィルターＢで吸い上げられ、熱交換器Ａの高温と送風機Ｃの送風により蒸発させられる。このようにしてドレイン水はペットハウス内で処理される。なお、ドレインパイプＱは、ドレイン水を移送するための管路として機能するものであればよく、ホースであってもよい。【００３６】
本発明では、ペットの糞尿やいたずらによる機械や電気系統の故障が無いように飼育部屋１００の天井裏Ｓに上記のような冷暖房のための機械及び電装ボックスが設置されている。【００３７】
上記のようなペットハウスによれば、温度や湿度調節を小スペースに対して行れることでエネルギーコストが低くなり、屋外で飼育した場合の夏場の熱中症と冬場の寒さ等からペットを守ることができる。また、冷暖房のためのエアコンを構成する各種装置が飼育部屋１００の天井裏に配置されているので、エアコンを構成する装置がペットによって倒れたり糞尿をかけられたりすることがなく、ペットに起因するエアコンの故障を回避することができる。さらに、冷房時に発生するドレイン水はペットハウス内で蒸発するので、ドレイン水を処理する手間が省け、ペットの飼い主の家屋の内外を問わずペットハウスを自由に移動して使用することも可能となる。【００３８】
＜１．２  詳細構成＞
図１および図３に示すように、本実施形態に係るペットハウスでは、犬や猫等のペットの飼育部屋１００として直方体の空間が形成されており、その飼育部屋１００の天井１２０の裏側に機械室Ｓが形成されている。本実施形態では、これらの飼育部屋１００および機械室Ｓを形成するための壁や屋根、天井、床は、木製の板部材等を用いて作製されているが、他の材料の部材を用いて作製してもよい。【００３９】
機械室Ｓは、飼育部屋１００の天井１２０と屋根２００と正面側切妻壁２２２と背面側切妻壁２２１とに囲まれた天井裏空間として形成されており、屋根裏部屋に相当する。この機械室Ｓは、飼育部屋１００の冷暖房のための装置としてのエアコンを構成する装置（機械や電装ボックス等）を収容するために設けられたものである。より詳しくは、この機械室Ｓは、第１および第２の間仕切りＲ１，Ｒ２によって第１室２０１と第２室２０２と第３室２０３とに区切られており、エアコンを構成する各種装置が図２および図３に示すように配置されている。なお、第２の間仕切りＲは開口部２３３を有することから、第２室２０２と第３室２０３は、１つの部屋と見なすこと、または、１つの部屋として形成することが可能である。【００４０】
第１室２０１は背面側切妻壁２２１と第１の間仕切りＲ１とに挟まれた部屋であり、この第１室２０１には、第１の熱交換器としての圧縮ガス放熱熱交換器Ａと、蒸発フィルターＢと、第１の送風機（ファン）Ｃと、コンプレッサーＥと、ガス圧縮タンクＦ等が配置されている。この第１室を形成する背面側切妻壁２２１は、外気Ｐを取り入れるための吸気口２３２と、取り入れた外気Ｐを排出するための排気口２３１とを有しており、吸気口２３２の近くに熱交換器Ａ、蒸発フィルターＢおよび送風機Ｃが図２および図３に示すように順に並んでいる。また、これら熱交換器Ａ、蒸発フィルターＢおよび送風機Ｃの下方には、後述の冷房用熱交換器Ｋで発生したドレイン水をドレインパイプＱを介して受け取るため蒸発用受け皿Ｈ２が設けられている。この第１室２０１と第２室２０２との間は、第１の間仕切りＲ１で仕切られていて、これらの間での空気の流れが遮断されるようになっている。そして送風機Ｃが動作すると、外部からごみフィルターＯおよび吸気口２３２を介して外気Ｐが取り込まれ、その外気Ｐは、図２において点線で示すように、熱交換器Ａ、蒸発フィルターＢ、送風機Ｃを順に通過した後、排気口２３１を介して外部へ排出される。すなわち、図２における点線は、ガス圧縮熱の冷却空気の流れを示している。【００４１】
第２室２０２は第１の間仕切りＲ１と第２の間仕切りＲ２とに挟まれた部屋であり、この第２室２０２には、第２の熱交換器としての冷房用熱交換器Ｋと、ヒータ（典型的には電熱器）Ｊと、第２の送風機（ファン）Ｉが、図２および図３に示すように順に配置されている。また、これら冷房用熱交換器Ｋ、ヒータＪおよび送風機Ｉの下方には、冷房用熱交換器Ｋで発生したドレイン水を受け取るための第１の容器としてドレイン水受け取り皿Ｈ１が配置されており、ここで受け取られたドレイン水は、ドレインパイプＱを介して第１室２０１の蒸発用受け取り皿Ｈ２に移送される。また、天井１２０のうち第２室２０２の下面を形成する部分には、第１の循環口としての冷暖気循環口Ｇが設けられており、第２の間仕切りＲ２のうち熱交換器Ｋに面する部分には開口部２３３が設けられている。さらに、第１室２０１の圧縮ガス放熱熱交換器Ａは、コンプレッサーＥを介して第２室２０２の冷房用熱交換器Ｋに接続されており、後述のように、冷房用熱交換器ＫからコンプレッサーＥを介して圧縮ガス放熱熱交換器Ａに冷媒が移動できるようになっている。さらにまた、第１室２０１の圧縮ガス放熱熱交換器Ａは、銅パイプＤ、ガス圧縮タンクＦを介して第２室２０２の冷房用熱交換器Ｋに接続されており、後述のように、圧縮ガス放熱熱交換器Ａから冷房用熱交換器Ｋに冷媒が移動できるようになっている。【００４２】
第３室２０３は第２の間仕切りＲ２と正面側切妻壁２２２とに挟まれた部屋であり、この第３室２０３には、正面側切妻壁２２２に取り付けられた電装ボックスＮが配置されている。この電装ボックスＮには、機械室Ｓ内のエアコンを構成する各装置（コンプレッサーＥ、送風機Ｃ，Ｉ、ヒータＪ等）の動作を制御するための電気部品が格納されており、図示しないケーブルやリード線等によってこれらの装置と電装ボックスＮとが電気的に接続されている。また本実施形態では、電装ボックスＮは、図５に示すようにペットハウスの正面外側壁面の上部に取り付けられた電源・温度設定スイッチＷにも電気的に接続されている。また、天井１２０のうち第３室２０３の下面を形成する部分には、第２の循環口としての空気循環口Ｌが設けられており、ごみフィルターＶが空気循環口Ｌに取り付けられている。この空気循環口Ｌの上方には、熱感知器（サーモスタット）Ｍが配置され、この熱感知器Ｍも電装ボックスＮに接続されている。第２室の送風機Ｉが動作すると、空気循環口Ｌを介して飼育部屋１００の空気Ｕが取り込まれ、その空気Ｕは、図３において点線で示すように、熱感知器Ｍ、第２の間仕切りＲの開口部２３３、冷房用熱交換器Ｋ、ヒータＪ、送風機Ｉを順に通過した後、冷暖気循環口Ｇを介して飼育部屋１００に戻る。すなわち、図３における点線は、このペットハウスにおける冷暖空調のための空気の流れを示している。【００４３】
上記のようにペットハウスの天井裏に配置された冷暖房装置としてのエアコンは、電源・温度スイッチＷに対する操作により電源が投入されると、熱感知器Ｍにより飼育部屋１００の温度に応じてエアコンの電源をオン／オフすることで、飼育部屋１００の温度が自動的に所定温度に維持されるように構成されている。ここで、熱感知器Ｍに代えて温度検出器（これも参照符号“Ｍ”で示すものとする）を備えるようにしてもよい。以下、これを前提として説明を進める。この場合、電源・温度スイッチＷに対する操作により電源が投入されかつ温度が設定されると、温度検出器Ｍによって飼育部屋１００の温度が検出され、その検出温度に基づきエアコンの動作が制御されることにより飼育部屋１００の温度が管理される。すなわち、電装ボックスＮは、その検出温度と電源・温度スイッチＷによる設定温度との差が打ち消されるように、エアコンを構成する各装置（コンプレッサーＥ、送風機Ｃ，Ｉ、ヒータＪ等）の動作を制御する。【００４４】
ここで、検出温度が設定温度よりも高い場合には、電装ボックスＮは、蒸気圧縮冷凍サイクルを利用して飼育部屋１００を冷房すべく、コンプレッサーＥや送風機Ｃ，Ｉを動作させ、ヒータＪを停止させる。この冷房動作では、気体状態の冷媒がコンプレッサーＥで圧縮された後、圧縮ガス放熱熱交換器Ａに送られ、そこで外気Ｐによって冷却されて液化する。この液化した冷媒は、ガス圧縮タンクＦを経て第２室２０２内の冷房用熱交換器Ｋに送られ、そこで気化し、そのときの気化熱により、図３において点線で示すように循環する飼育部屋１００の空気が冷却される。なお、このとき、空気中の水分が結露して除去されるので、飼育部屋１００の除湿も行われることになる。【００４５】
上記のように冷房用熱交換器Ｋにおける冷媒の気化によって空気中の水分が結露し、これによりドレイン水（結露水）が生じる。このドレイン水は、冷房用熱交換器Ｋの下方に設けられたドレイン水受け皿Ｈ１で受け取られ、ドレインパイプＱを介して、第１室２０１内の圧縮ガス放熱熱交換器Ａの下方近傍に設けられた蒸発用受け皿Ｈ２に移送される。この蒸発用受け皿Ｈ２におけるドレイン水は蒸発フィルタＢによって吸い上げられる。図８および図９に示すように、この蒸発用フィルタＢは、圧縮ガス放熱熱交換器Ａと送風機Ｃとの間に配置されており、送風機Ｃによって、圧縮ガス放熱熱交換器Ａからの熱を含む空気（風）を比較的大きな面積で受ける。これにより、蒸発フィルタＢに吸い上げられたドレイン水は蒸発し、排気口２３１を介して外部へ排出される。本実施形態では、エアコンで発生したドレイン水はこのようにペットハウスの内部で処理されるので、ペットハウスの外部へドレイン水が排出されることはない。【００４６】
上記温度検出器Ｍによって検出された飼育部屋１００の温度（検出温度）が設定温度よりも低い場合には、電装ボックスＮは、コンプレッサーＥおよび第１の送風機Ｃを停止させ、飼育部屋１００を暖房すべく、ヒータＪおよび第２の送風機Ｉを動作させる。この暖房動作では、図３において点線で示すように循環する飼育部屋１００の空気がヒータＪによって暖められる。【００４７】
＜１．３  効果＞
上記のように本実施形態では、ペットの飼育部屋１００という小さい容量の空間のみが冷房または暖房されるので、家庭用のエアコン等を利用してペットハウスの冷暖房を行う場合に比べ、温度（または温度および湿度）を調節するためのエネルギーコストを小さくすることができる。したがって、低コストで、夏の暑い時期にペットを熱中症から守ると共に、冬の厳しい寒さからペットを守ることができる。【００４８】
また、本実施形態では、冷暖房のためのエアコンを構成する各種装置が飼育部屋１００の天井裏における機械室Ｓ（屋根裏部屋に相当する）に配置されているので（図１〜図４）、エアコンを構成する装置にペットが接触したり近接したりすることがない。したがって、ペットの接触や糞尿等によるエアコンの故障を防止することができる。特に、通常の分離方式（セパレートタイプ）のエアコンにおける屋内機に相当する装置（冷房用放熱器Ｋや送風機Ｉ等）のみならず屋外機に相当する装置（圧縮ガス放熱熱交換器Ａや送風機Ｃ等）も、天井裏の機械室Ｓ内に配置されており、ペットから隔離された状態となっているので、ペットに起因するエアコンの故障を確実に防止することができる。なお、図２および図３に示すように本実施形態では、蒸気圧縮冷凍サイクルによるエアコンを適切に動作させるべく、屋外機に相当する装置と屋内機に相当する装置とは、第１の間仕切りＲ１で仕切られた第１室２０１と第２室２０２にそれぞれ配置され、外気Ｐの空気の流れと飼育部屋１００の空気の流れＵとが分離されるようになっている。【００４９】
また、本実施形態によれば、冷房動作において発生するドレイン水はペットハウス（の機械室Ｓ）内で蒸発させられ外部へ排気されるので、ペットの飼い主の家屋外のみならず家屋内でも使用することが可能である。すなわち、家屋の内外を問わずエアコン付きのペットハウスを自由に移動させて使用することができる。【００５０】
さらに、本実施形態によれば、冷房は蒸気圧縮冷凍サイクルを利用して行われ、暖房はヒータ（電熱器）を使用して行われるので、他の方式を採用した場合に比べて冷房と暖房の双方を効果的に行うことができる。すなわち本実施形態によれば、ペルチェ素子を利用した冷房装置や扇風機のみの構成（例えば日本の特開２０００−１１６２６３号公報、日本の特開２０００−１５７０８１号公報参照）に比べて高い冷房能力を提供することができ、また、ヒータを用いずにコンプレッサーＥを利用して暖房を行う構成に比べて高い暖房能力を提供することができる。なお本実施形態では、冷房時において除湿により湿度も調節される。【００５１】
なお、上記実施形態では、暖房のためにヒータＪが設けられているが、図１〜図３に示す上記構成においてヒータＪを除去し冷房機能のみを有するペットハウスとしてもよい。【００５２】
＜１．４  変形例＞
上記第１の実施形態では、飼育部屋１００の温度を自動的に管理するために熱感知器または温度検出器Ｍが使用されているが、これに代えて、図１０に示すように、温度と湿度の双方を検出できる温度・湿度検出器Ｍ２を備える構成としてもよい。この場合、温度・湿度検出器Ｍ２で検出される飼育部屋１００の温度および湿度に基づき、外部から設定される湿度（所望の湿度）が得られるように冷房用熱交換器Ｋでの冷媒の気化によって空気中の水分を除去すると共に、その水分除去後の空気を設定温度（所望温度）となるようにヒータＪで暖める構成とすることができる。【００５３】
上記第１の実施形態では、飼育部屋１００の冷房または暖房のための送風機Ｉにより飼育部屋１００の空気Ｕが図３に示すように循環する構成となっている。そこで、犬等のペットが蚊等を介して伝染病に感染するのを予防すべく、この空気の循環を利用してペットハウスに殺虫機能を付加することが考えられる。例えば図１１に示すように、冷暖房のための空気の循環流路中に相当する第２室２０２内の適宜の位置に電子蚊取り器２５０を設けるという構成が考えられる。この電子蚊取り器２５０の取り付け位置は、当該循環流路中であれば第３室２０３内であってもよい。この電子蚊取り器２５０は、電熱を利用したヒータを含み、液体の殺虫剤または板状物に含浸させた殺虫剤をそのヒータで加熱して蒸散させる電気式殺虫剤蒸散装置の一種である。この電子蚊取り器２５０から蒸散した殺虫剤は、冷暖房のための空気の流れと共に飼育部屋１００を通って循環することになる。これにより、例えば夏の暑い時期に飼育部屋１００を冷房すると同時に、蚊によるフェラリア（犬の伝染病の一種）等の感染からペットを保護することができる。フェラリアの感染は夏に広がりやすいので、夏の暑い時期においては、このように冷房機能と殺虫機能とを組み合わせた構成は効果的である。【００５４】
また、冷暖房のための空気の循環流路中に、上記電子蚊取り器２５０に代えて又はこれとと共に、除菌装置または消臭装置を設けてもよい。これらの除菌装置または消臭装置としては、例えば、除菌作用または消臭作用を有するイオンまたは薬剤を撒布または噴霧する装置を使用することができる。【００５５】
上記第１の実施形態では、冷房用熱交換器Ｋにおいて発生したドレイン水は、圧縮ガス放熱熱交換器Ａの下方近傍の蒸発用受け皿Ｈ２に移送され、この蒸発用受け皿Ｈ２から蒸発フィルタＢによって吸い上げられ、圧縮ガス放熱熱交換器Ａからの熱を含む風を受けて蒸発する（図２、図８、図９参照）。このように上記第１の実施形態では、冷媒をコンプレッサーＥで圧縮することによって生じる熱がドレイン水の蒸発に利用されるが、同様の原理を利用した他の構成によってドレイン水を蒸発させるようにしてもよい。図１２は、冷房用熱交換器Ｋにおいて発生し圧縮ガス放熱熱交換器Ａの下方近傍の蒸発用受け皿Ｈ２に移送されたドレイン水を蒸発させるための他の構成を示す平面図であり、図１３は、当該他の構成を示す側面図である。上記第１の実施形態では、ドレイン水受け皿Ｈ１とドレインパイプＱと蒸発用受け皿Ｈ２と蒸発フィルタＢと送風機Ｃとによってドレイン水の蒸発装置が構成されるのに対し、当該他の構成では、ドレイン水受け皿Ｈ１とドレインパイプＱと蒸発用受け皿Ｈ２とコンプレッサーＥで圧縮された冷媒を圧縮ガス放熱熱交換器Ａに移送するための銅管２１２とによってドレイン水の蒸発装置が構成される。そして、上記第１の実施形態よりも大きな蒸発用受け皿Ｈ２が使用され、銅管２１２が、この蒸発用受け皿Ｈ２に貯えられたドレイン水に水没または接触するように配設されている。また、図１２に示すように、ドレイン水と銅管２１２との接触面積を大きくするために、銅管２１２は蒸発用受け皿Ｈ２内で蛇行するように形成されている。このような構成によれば、コンプレッサーＥで圧縮されることにより高温となった冷媒がコンプレッサーＥから圧縮ガス放熱熱交換器Ａへ送られる間に、銅管２１２内の高温冷媒からドレイン水に熱が与えられ、これにより当該ドレイン水が蒸発する。このようにして、圧縮された冷媒の冷却とドレイン水の蒸発とが同時に行われる。なお、このような図１２および図１３に示す構成と上記第１の実施形態のように蒸発フィルタＢを用いた構成とを組み合わせてドレイン水を蒸発させるようにしてもよい。【００５６】
＜２．第２の実施形態＞
上記第１の実施形態のように蒸気圧縮冷凍サイクルを利用した冷房装置として機能するエアコンを使用する構成によれば、小さなエネルギーコストでペットハウスの冷房機能として十分な能力が得られるが、冷媒を圧縮するためのコンプレッサーＥが必要であり、一般にコンプレッサーは、犬や猫等のペットが嫌う振動の発生源となる。このため、コンプレッサーを含むエアコン（蒸気圧縮冷凍サイクルを利用した冷房装置）を上記第１の実施形態のように飼育部屋の天井裏に配置した場合には、コンプレッサーＥ等から飼育部屋に伝搬する振動の大きさによっては、そのペットハウスを犬や猫等の飼育に使用できなくなる虞がある。【００５７】
これに対し、犬や猫等のペットが嫌う振動を発生することないペルチェ素子等をペットハウスの冷房に使用することも考えられる（例えば日本の特開２０００−１１６２６３号公報参照）。しかし、ペルチェ素子を利用した冷房装置では、ペットハウスのような容積の小さい空間についても、十分な冷房能力を得るには比較的大きな電力（例えば家庭用エアコンと同程度の消費電力）を必要とする。特に犬や猫等のペットを飼育する場合には、通常、ペットハウスの出入口は開放状態とされるので、その点からも、比較的小さいエネルギーコストで大きな冷房能力が得られる蒸気圧縮冷凍サイクルを利用した構成とするのが好ましい。【００５８】
そこで、以下では、上記第１の実施形態と同様に蒸気圧縮冷凍サイクルを利用した冷房装置として機能するエアコンを使用しつつ、犬や猫等のペットが嫌う振動の問題を解消したペットハウスを、本発明の第２の実施形態として説明する。ただし以下では、第２の実施形態に係るペットハウスの構成要素のうち上記第１の実施形態に係るペットハウスの構成要素と同一または対応する部分については、同一の参照符号を付して詳しい説明を省略する。【００５９】
＜２．１  全体構成＞
図１４は、本実施形態に係るペットハウスの外観を示す正面図であり、図１５は、本実施形態に係るペットハウスの外観を示す背面図である。このペットハウスは、後述のように、飼育部屋を含む本体ユニット１００ｕと機械室を含む屋根側ユニット２００ｕとに分離可能に構成されており、図１５の背面図は、ペットハウスを本体ユニット１００ｕと屋根側ユニット２００ｕとに分離した状態を示している。また図１６は、本実施形態に係るペットハウスにおいて屋根側ユニット２００ｕを取り外したときの本体ユニット１００ｕの外観を示す平面図（図１４のＺ−Ｚ線における横断面図に相当）であり、図１７は、本実施形態に係るペットハウスの外観を示す側面図である。さらに図１８は、本実施形態に係るペットハウスの内部構成を示す側面図であり、図１９は、本実施形態に係るペットハウスの屋根側ユニット２００ｕを本体ユニット１００ｕから分離した状態の内部構成を示す側面図である。なお、本実施形態における機械室の内部構成を上方から見た平面図は、上記第１の実施形態と同様、図２に示す通りである。【００６０】
図１８および図１９に示すように、本実施形態に係るペットハウスにおいても、上記第１の実施形態と同様、犬や猫等のペットの飼育部屋１００として直方体の空間が形成されており、その飼育部屋１００の天井１２０の裏側に機械室Ｓが形成されている。本実施形態においても、これらの飼育部屋１００および機械室Ｓを形成するための壁や屋根、天井、床は、木製の板部材等を用いて作製されているが、他の材料の部材を用いて作製してもよい。【００６１】
図１５および図１９に示すように、本実施形態に係るペットハウスは、飼育部屋１００を含む本体ユニット１００ｕと機械室Ｓを含む屋根側ユニット２００ｕとに分離可能に構成されており、かつ、本体ユニット１００ｕと屋根側ユニット２００ｕとの間に防振部材１０を取り付けることによって防振機構が介在する構成となっている。すなわち、上記第１の実施形態では、飼育部屋１００の天井（上面）を形成する部材である天井部材と機械室Ｓの床（下面）を形成する部材である床部材とは共通化されていたが、本実施形態では、図１８および図１９に示すように、飼育部屋１００の天井１２０と機械室Ｓの床１３０とは別の部材で形成されている（以下では、天井部材および床部材も参照符号“１２０”および“１３０”でそれぞれ示すものとする）。そして、天井部材１２０と床部材１３０との間に複数個の防振部材１０が取り付けられることで防振機構が構成されており、本体ユニット１００ｕの上に当該防振機構を介して屋根側ユニット２００ｕが上部ユニットとして取り付けられている（詳細は後述）。【００６２】
本実施形態における機械室Ｓは、上記の床部材１３０と屋根（屋根部材）２００と正面側切妻壁２２２と背面側切妻壁２２１とに囲まれた天井裏空間として形成されており、屋根裏部屋に相当する。この機械室Ｓも、上記第１の実施形態と同様、第１および第２の間仕切りＲ１，Ｒ２によって第１室２０１と第２室２０２と第３室２０３とに区切られており、蒸気圧縮冷凍サイクルを利用した冷房装置として機能するエアコンを構成する各種装置が、図２および図１８に示すように配置されている。これらの第１〜第３室２０１〜２０３の構成およびそれらの内部へのエアコンの各構成要素の配置や動作は、上記第１の実施形態（図２、図３）の場合と基本的に同様であるので、詳しい説明を省略する。【００６３】
第１室２０１を形成する背面側切妻壁２２１は、上記第１の実施形態と同様、外気Ｐを取り入れるための吸気口２３２と、取り入れた外気Ｐを排出するための排気口２３１とを有しており（図２、図１５）、送風機Ｃが動作すると、外部からごみフィルターＯおよび吸気口２３２を介して外気Ｐが取り込まれ、その外気Ｐは、図２において点線で示すように、熱交換器Ａ、蒸発フィルターＢ、送風機Ｃを順に通過した後、排気口２３１を介して外部へ排出される。【００６４】
また、機械室Ｓの床部材１３０のうち、第２室２０２の床に相当する部分は空気循環口Ｇを、第３室２０３の床に相当する部分は空気循環口Ｌを、それぞれ有しており、飼育部屋１００の天井１２０は、それらの空気循環口Ｇ，Ｌに位置的にそれぞれ対応する空気循環口１２１（Ｇ１），１２２（Ｌ１）を有している（図１６、図１８）。図１８に示すように、天井１２０の空気循環口１２１を床１３０の空気循環口Ｇに連通させるように配置された第１のダクト２０Ｇと、天井１２０の空気循環口１２２を床１３０の空気循環口Ｌに連通させるように配置された第２のダクト２０Ｌとが設けられている。そして、第２室の送風機Ｉが動作すると、空気循環口１２２，第２のダクト２０Ｌおよび空気循環口Ｌを介して飼育部屋１００の空気Ｕが第３室２０３に取り込まれ、その空気Ｕは、図１８において点線で示すように、熱感知器Ｍ、第２の間仕切りＲの開口部２３３、冷房用熱交換器Ｋ、ヒータＪ、送風機Ｉを順に通過した後、空気循環口Ｇ、第１のダクト２０Ｇおよび空気循環口１２１を介して飼育部屋１００に戻る。これにより、上記第１の実施形態と同様に、温度検出器Ｍによる検出温度が電源・温度スイッチＷによる設定温度よりも高い場合には、ヒータＪは停止し、機械室Ｓ内の各種装置Ａ，Ｂ，Ｃ，Ｅ，Ｉ，Ｋ等に動作に基づく蒸気圧縮冷凍サイクルによって冷却された空気が飼育部屋１００に送られる。一方、上記検出温度が上記設定温度よりも低い場合には、ヒータＪおよび第２の送風機Ｉが動作し、そのヒータＪで暖められた空気が飼育部屋１００に送られる。なお、上記第２室２０２と第３室２０３は、１つの部屋と見なすこと、または、１つの部屋として形成することが可能である。【００６５】
＜２．２  防振機構＞
次に、図２０を参照して本実施形態における防振機構について説明する。本実施形態に係るペットハウスは、図１８および図２０に示すように、本体ユニット１００ｕと屋根側ユニット２００ｕとの間に複数個の防振部材１０を取り付けることによって防振機構が介在する構成となっている。各防振部材１０は、円柱形状の弾性体であるゴムからなる本体部１１と、その本体部１１の一方の端部に固定された第１の突出部１１ａを有する金属製剛体と、その本体部１１の他方の端部に固定された第２の突出部１１ｂを有する金属性剛体とからなり、２つの突出部１１ａ，１１ｂのうち少なくとも一方にはネジ溝が形成されている。本実施形態では、第１の突出部１１ａにネジ溝が形成されているものとする。図１６および図１８に示すように、このような防振部材１０が本体ユニット１００ｕの天井部材１２０と屋根側ユニット２００ｕの床部材１３０との間に４個取り付けられている。ただし、使用される防振部材１０の個数や取り付け位置は、図１６および図１８に示すものに限定されない。なお、この防振部材１０としては、例えば、倉敷化工株式会社（所在地：日本国岡山県倉敷市連島町矢柄四の町４６３０番地）から入手可能な「防振ゴム」（例えば丸形防振ゴムＫＡ−１２）を使用することができる。【００６６】
図２０は、本実施形態においてこのような１個の防振部材１０の取り付ける部分の構造を示している。屋根側ユニット２００ｕの床１３０における防振部材１０の取り付け部分には、防振部材１０の第１の突出部１１ａを貫通させるための貫通孔が設けられており、この第１の突出部１１ａは、その貫通孔を貫通し床部材１３０から突き出た先端部にナット１２が螺合することにより、床部材１３０に固定されている。【００６７】
一方、本体ユニット１００ｕの天井１２０における防振部材１０の取り付け部分には、防振部材１０の第２の突出部１１ｂに対応した穴が設けられ（貫通孔であってもよい）、その穴を補強するための円筒状金属部材（以下「穴補強金具」という）１４が当該穴に挿入されて天井部材１２０に取り付けられる。穴補強金具１４は一方の端部（機械室Ｓ側の端部）が外側に開いた形状となっていて（当該形状の部分を「鍔部」という）、天井部材１２０の穴に挿入して取り付けられた穴補強金具１４に鍔部側から防振部材１０の第２の突出部１１ｂが挿入されている。【００６８】
上記のように、屋根側ユニット２００ｕの床部材１３０に一方の端部がネジ留めによって固定されると共に、各防振部材１０の他方の端部である第２の突出部１１ｂが本体ユニット１００ｕの天井部材１２０の穴に取り付けられた穴補強金具１４に挿入されている。したがって、図１９および図２０（Ｂ）に示すように、屋根側ユニット２００ｕを鉛直方向に持ち上げることで本体ユニット１００ｕから分離することができる。このようにして、本実施形態に係るペットハウスでは、飼育部屋１００を含む本体ユニット１００ｕに、エアコンを収容する機械室Ｓを含む上部ユニットとしての屋根側ユニット２００ｕが、４個の防振部材１０からなる防振機構を介して分離可能に結合している。【００６９】
なお本実施形態では、各防振部材１０は、屋根側ユニット２００ｕ（の床部材１３０）に固定されているが（図１９、図２０（Ｂ））、これに代えて、各防振部材１０の一方の端部を本体ユニット１００ｕ（の天井部材１２０）に固定し、各防振部材１０の他方の端部である突出部を屋根側ユニット２００ｕ（の床部材１３０）に形成された穴に挿入するようにしてもよい。【００７０】
＜２．３  ダクト取り付け部の構成＞
本実施形態では、図１８において点線で示すように飼育部屋１００と機械室Ｓ（第２室２０２および第３室２０３）との間で空気を流通させるために、飼育部屋１００の天井１２０の空気循環口１２１を機械室Ｓの床１３０の空気循環口Ｇに連通させる第１のダクト２０Ｇが設けられていると共に、当該天井１２０の空気循環口１２２を当該床１３０の空気循環口Ｌに連通させる第２のダクト２０Ｌが設けられている。上記のようにペットハウスが本体ユニット１００ｕと屋根側ユニット２００ｕとに分離可能な構成であっても、これら第１および第２のダクト２０Ｇ，２０Ｌの取り付け部は、それらダクト２０Ｇ，２０Ｌによる空気の流通機能および上記防振機構による防振機能を損なわないように構成されている。以下、図２１を参照して、このような第１および第２のダクト２０Ｇ，２０Ｌの取り付け部の構成について説明する。なお以下では、第１のダクト２０Ｇと第２のダクト２０Ｌを区別する必要がない場合には、単に「ダクト２０」と記すものとする。【００７１】
図２１（Ａ）に示すように、本実施形態では、ダクト２０は、屋根側ユニット２００ｕの床部材１３０における循環口ＧまたはＬにはめ込まれるように固定され、その循環口を覆うようにダクト２０の一方の端部にごみフィルターＶが取り付けられている。床部材１３０における当該循環口ＧまたはＬに対応する本体ユニット１００ｕの天井部１２０における循環口１２１または１２２の周囲には、図１６、図２１に示すように、弾性体としてのスポンジ部材２２が取り付けられている。ダクト２０は、本体ユニット１００ｕが屋根側ユニット２００ｕに結合している状態（図１８、図２０（Ａ））において、その端部（ダクト側壁端部）は本体ユニット１００ｕの天井部材１２０に達しないがスポンジ部材２２に圧接する程度のサイズ（鉛直方向長さ）を有している。【００７２】
このようなダクト取り付け部の構成は、図２１（Ａ）（Ｂ）からわかるように、本体ユニット１００ｕからの屋根側ユニット２００ｕの分離（図１９参照）の障害となることはない。一方、この構成によれば、本体ユニット１００ｕに屋根側ユニット２００ｕが結合した状態すなわち通常の使用状態のときには、図２１（Ａ）に示すように、ダクト２０の側壁端部が天井部材１２０におけるスポンジ部材２２に圧接している。このため、ダクト２０を通過する空気が漏れることなく、飼育部屋１００と機械室Ｓとの間での空気の流通機能が十分に発揮される。また、通常の使用状態において、ダクト２０の側壁端部が直接に天井部材１２０に接することなく、弾性係数の小さいスポンジ部材２２を介して天井部材１２０に接続されるので、上記の防振部材１０による防振機能が損なわれることもない。【００７３】
なお本実施形態では、第１および第２のダクト２０Ｇ，２０Ｌは屋根側ユニット２００ｕの床部材１３０に固定されると共に、各スポンジ部材２２は本体ユニット１００ｕの天井部材１２０の上面に取り付けられているが（図１６、図２１）、これに代えて、第１および第２のダクト２０Ｇ，２０Ｌを本体ユニット１００ｕの天井部材１２０に上に向けて固定し、各スポンジ部材２２を屋根側ユニット２００ｕの床部材１３０の下面に取り付けるようにしてもよい。【００７４】
＜２．４  効果＞
上記のように本実施形態では、エアコンを構成するコンプレッサーＥ等の各種装置を収容する機械室Ｓを含む屋根側ユニット２００ｕが、複数個の防振部材１０からなる防振機構を介して、飼育部屋１００を含む本体ユニット１００ｕに結合している（図１８等参照）。このため、本実施形態によれば、蒸気圧縮冷凍サイクルを利用することで小さいエネルギーコストで十分な冷房機能を提供しつつ、冷房のためのコンプレッサーＥ等の動作による振動の飼育部屋１００への伝搬を抑制することができる。なお、冷房または暖房のために機械室Ｓ（第２室２０２および第３室２０３）と飼育部屋１００との間で空気を流通させるために設けられた第１および第２のダクト２０Ｇ，２０Ｌは、図２１に示すように、その側壁端部が弾性率の小さいスポンジ部材２２に圧接しているので、既述のように、これらのダクト２０Ｇ，２０Ｌによって上記の防振機構による防振機能が損なわれることはない。また、上記第１の実施形態と同様、エアコンを構成する全ての装置が屋根側ユニット２００ｕの機械室Ｓ内に配置されており、ペットから隔離された状態となっているので、ペットに起因するエアコンの故障を確実に防止することができる。【００７５】
また、本実施形態では、飼育部屋１００を含む本体ユニット１００ｕに、エアコンを収容する機械室Ｓを含む屋根側ユニット２００ｕが、４個の防振部材１０からなる防振機構を介して分離可能に結合している（図１９、図２０（Ｂ）、図２１（Ｂ）参照）。すなわち、本実施形態に係るペットハウスは、防振部材１０の取り付けを利用することによって、機械室Ｓを含む屋根側ユニット２００ｕを本体ユニット１００ｕから簡易な構成で分離できるようになっている。このため、ペットハウスのうち犬や猫等のペットを収容する飼育部屋１００が損傷した場合等には、本体ユニット１００ｕのみを新しい本体ユニットと容易に交換することができ、エアコンを含む屋根側ユニット２００ｕをそのまま継続して使用することができる。ペットハウスのコストのうちエアコン等を含む屋根側ユニット２００ｕのコストの占める割合は大きいので、例えば本体ユニット１００ｕが木製の場合において犬や猫等のペットが齧る等によって飼育部屋１００が損傷したときに、本体ユニット１００ｕのみを交換することでペットハウスの実質的な更新を容易に低コストで行うことができる。【００７６】
さらに、本実施形態に係るペットハウスにおいて、本体ユニット１００ｕから屋根側ユニット２００ｕを分離した状態で天井部材１２０を取り外せば、飼育部屋１００の掃除を容易となる。【００７７】
＜２．５  変形例＞
上記第２の実施形態に係るペットハウスにおいても、下記のように、上記第１の実施形態についての既述の変形と同様の変形が可能である。【００７８】
例えば、上記第２の実施形態に係るペットハウスにおいても、図１０に示すように、温度と湿度の双方を検出できる温度・湿度検出器Ｍ２を備える構成としてもよい。この場合、温度・湿度検出器Ｍ２で検出される飼育部屋１００の温度および湿度に基づき、外部から設定される湿度（所望の湿度）が得られるように冷房用熱交換器Ｋでの冷媒の気化によって空気中の水分を除去すると共に、その水分除去後の空気を設定温度（所望温度）となるようにヒータＪで暖める構成とすることができる。【００７９】
また、上記第２の実施形態に係るペットハウスに殺虫機能を付加するために、例えば図１１に示すように、冷暖房のための空気の循環流路中に相当する第２室２０２内の適宜の位置に電子蚊取り器２５０を設けるようにしてもよい。さらに、冷暖房のための空気の循環流路中に、上記電子蚊取り器２５０に代えて又はこれとと共に、除菌装置または消臭装置を設けてもよい。【００８０】
また、冷媒をコンプレッサーＥで圧縮することによって生じる熱を利用してドレイン水を蒸発させるための構成として、図８および図９に示す構成に代えて又はこれと共に、図１２および図１３に示す構成を採用してもよい。【００８１】
なお、上記第２の実施形態では、図１９〜図２１に示すように、ペットハウスが本体ユニット１００ｕと屋根側ユニット２００ｕとに分離可能なように構成されているが、このような分離可能な構成とすることなく、飼育部屋１００と機械室Ｓとの間に防振機構が介在する構成であってもよい。また、上記第２の実施形態では、図１８および図１９に示すように、飼育部屋１００の天井１２０と機械室Ｓの床１３０とは別の部材で形成されているが、上記第１の実施形態と同様に、飼育部屋１００の天井１２０と機械室Ｓの床１３０とを共通化して同一部材で形成される構成としてもよい（図３参照）。後者の場合、例えば、防振部材１０を飼育部屋１００の側壁の上端部と天井１２０との間に取り付けることにより防振機構を実現することができる。さらに、上記第２の実施形態では、機械室Ｓ内に配置されたエアコンはヒータＪを含むが、このヒータＪを除去して、このエアコンを冷房機能をのみを有する冷房装置としてもよい。
【産業上の利用可能性】
【００８２】
本発明は、犬や猫等のペットを飼育するためのペットハウスに適用することができる。
【図１】
2009008067.tif 000003
【図２】
2009008067.tif 000004
【図３】
2009008067.tif 000005
【図４】
2009008067.tif 000006
【図５】
2009008067.tif 000007
【図６】
2009008067.tif 000008
【図７】
2009008067.tif 000009
【図８】
2009008067.tif 000010
【図９】
2009008067.tif 000011
【図１０】
2009008067.tif 000012
【図１１】
2009008067.tif 000013
【図１２】
2009008067.tif 000014
【図１３】
2009008067.tif 000015
【図１４】
2009008067.tif 000016
【図１５】
2009008067.tif 000017
【図１６】
2009008067.tif 000018
【図１７】
2009008067.tif 000019
【図１８】
2009008067.tif 000020
【図１９】
2009008067.tif 000021
【図２０】
2009008067.tif 000022
【図２１】
2009008067.tif 000023
【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
愛玩動物を飼育するためのペットハウスであって、
愛玩動物を収容するための飼育部屋と、
前記飼育部屋の天井裏に配置され、蒸気圧縮冷凍サイクルを利用して前記飼育部屋を冷房する冷房装置と
を備え、
前記冷房装置は、
気体の所定冷媒を圧縮するための圧縮機と、
外気を取り込むための第１の送風機と、
前記圧縮機で圧縮された前記冷媒を前記第１の送風機による外気の送風により冷却して液化するための第１の熱交換器と、
前記第１の熱交換器において液化した前記冷媒を気化させるための第２の熱交換器と、
前記飼育部屋の空気を取り込んで前記第２の熱交換器に送り、前記第２の熱交換器を通過した空気を前記飼育部屋に戻すための第２の送風機と
を含む、ペットハウス。
【請求項２】
前記第２の送風機によって前記飼育部屋に戻されるべき空気が通過するように配置されたヒータを更に備える、請求項１に記載のペットハウス。
【請求項３】
前記飼育部屋の天井裏に配置され、前記飼育部屋の温度および湿度を検出する検出器と、
前記飼育部屋の天井裏に配置され、前記検出器による検出結果に基づいて前記圧縮機と第１および第２の送風機と前記ヒータとを動作させる電装ボックスと
を更に備える、請求項２に記載のペットハウス。
【請求項４】
前記第２の熱交換器において生じるドレイン水を、前記圧縮機が前記冷媒を圧縮することにより生じる熱を利用して蒸発させるための蒸発装置を更に備える、請求項１に記載のペットハウス。
【請求項５】
前記蒸発装置は、
前記第２の熱交換器で生じるドレイン水を受け取るための第１の容器と、
前記第１の熱交換器の近傍に配置された第２の容器と、
前記ドレイン水を前記第１の容器から前記第２の容器に移送するための管路と、
前記第２の容器から前記ドレイン水を吸い上げる蒸発フィルタと
を含み、
前記第２の送風機は、前記第１の熱交換器を通過した前記外気が前記蒸発フィルタを通過するように当該外気を前記蒸発フィルタに送る、請求項４に記載のペットハウス。
【請求項６】
前記蒸発装置は、
前記第２の熱交換器で生じるドレイン水を受け取るための第１の容器と、
前記第１の熱交換器の近傍に配置された第２の容器と、
前記ドレイン水を前記第１の容器から前記第２の容器に移送するための管路と、
前記圧縮機で圧縮された前記冷媒を前記第１の熱交換器に移送するための銅管であって前記第２の容器内に配設された銅管と
を含む、請求項４に記載のペットハウス。
【請求項７】
前記飼育部屋の天井裏に、第１および第２室を含む機械室が設けられており、
前記第１の熱交換器および第１の送風機は前記第１室内に配置され、
前記第１室は、前記第１の送風機によって外気を取り込むための吸気口、および、前記第１の熱交換器を通過した前記外気を排出するための排気口を有し、
前記第２の熱交換器および第２の送風機は前記第２室内に配置され、
前記第２室は、前記飼育部屋から空気を取り込むための循環口、および、当該取り込まれた空気を前記第２の熱交換器を通過させた後に前記飼育部屋に戻すための循環口を有し、
前記第１室と前記第２室とは、前記第１室と前記第２室の間での空気の流れを遮断する間仕切りで仕切られている、請求項１に記載のペットハウス。
【請求項８】
前記飼育部屋から取り込まれる空気の温度を検出する温度検出器と、
前記温度検出器による検出結果に基づいて前記圧縮機ならびに第１および第２の送風機を動作させる電装ボックスと
を更に備える、請求項７に記載のペットハウス。
【請求項９】
前記飼育部屋から前記天井裏に空気が取り込まれてから当該空気が前記第２の熱交換器を通過して前記飼育部屋に戻されるまでの当該空気の流路中に配置された殺虫剤蒸散装置を更に備える、請求項１に記載のペットハウス。
【請求項１０】
前記飼育部屋から前記天井裏に空気が取り込まれてから当該空気が前記第２の熱交換器を通過して前記飼育部屋に戻されるまでの当該空気の流路中に配置された除菌装置を更に備える、請求項１に記載のペットハウス。
【請求項１１】
前記飼育部屋から前記天井裏に空気が取り込まれてから当該空気が前記第２の熱交換器を通過して前記飼育部屋に戻されるまでの当該空気の流路中に配置された脱臭装置を更に備える、請求項１に記載のペットハウス。
【請求項１２】
前記飼育部屋の上に取り付けられた上部ユニットと、
前記飼育部屋と前記上部ユニットとの間に介在する防振機構とを更に備え、
前記上部ユニットは機械室を含み、
前記冷房装置は前記機械室の内部に配置されている、請求項１に記載のペットハウス。
【請求項１３】
前記上部ユニットと前記飼育部屋を含む本体ユニットとに分離可能に構成されている、請求項１２に記載のペットハウス。
【請求項１４】
前記防振機構は、それぞれが弾性体と当該弾性体の少なくとも一方の端部に固定された剛性の突出部とを含む複数個の防振部材からなり、
各防振部材は、前記突出部が固定される端部とは反対側の端部を前記上部ユニットまたは前記本体ユニットの一方に固定され、
前記上部ユニットまたは前記本体ユニットの他方は、各防振部材の前記突出部が挿入されるべき穴を有している、請求項１３に記載のペットハウス。
【請求項１５】
前記機械室と前記飼育部屋との間で空気を流通させるための第１および第２のダクトを更に備え、
前記飼育部屋は、上面を形成する天井部材を含み、
前記機械室は、下面を形成する床部材を含み、
前記防振機構は、前記上部ユニットが前記本体ユニットから分離可能なように前記飼育部屋の天井部材と前記機械室の床部材との間に介在し、
前記機械室の床部材は、前記冷房装置で冷却された空気を送り出すための第１の循環口、および、前記飼育部屋から空気を取り込むための第２の循環口を有し、
前記飼育部屋の天井部材は、前記第１のダクトを介して前記第１の循環口と連通する第３の循環口、および、前記第２のダクトを介して前記第２の循環口と連通する第４の循環口を有し、
前記飼育部屋の天井部材または前記機械室の床部材の少なくとも一方は、前記第１および第２のダクトのそれぞれの少なくとも一方の端部が圧接するように配置された弾性部材を含み、
前記冷房装置は、前記飼育部屋の空気を前記第４の循環口、前記第２のダクトおよび前記第２の循環口を介して取り込んで冷却し、当該冷却された空気を前記第１の循環口、前記第１のダクトおよび前記第３の循環口を介して前記飼育部屋に戻す、請求項１３に記載のペットハウス。
【請求項１６】
前記機械室は、第１および第２室を含み、
前記第１の熱交換器および第１の送風機は前記第１室内に配置され、
前記第１室は、前記第１の送風機によって外気を取り込むための吸気口、および、前記第１の熱交換器を通過した前記外気を排出するための排気口を有し、
前記第２の熱交換器および第２の送風機は前記第２室内に配置され、
前記第２室は、前記第１および第２の循環口を有し、
前記第２の送風機は、前記第２の循環口を介して前記飼育部屋から空気を取り込んで前記第２の熱交換器に送り、前記第２の熱交換器を通過した空気を前記第１の循環口を介して前記飼育部屋に戻し、
前記第１室と前記第２室とは、前記第１室と前記第２室の間での空気の流れを遮断する間仕切りで仕切られている、請求項１５に記載のペットハウス。
【手続補正２】
【補正対象書類名】明細書
【補正対象項目名】０００５
【補正方法】変更
【補正の内容】
【０００５】
本発明の第１の局面は、愛玩動物を飼育するためのペットハウスであって、
愛玩動物を収容するための飼育部屋と、
前記飼育部屋の天井裏に配置され、蒸気圧縮冷凍サイクルを利用して前記飼育部屋を冷房する冷房装置とを備え、
前記冷房装置は、
気体の所定冷媒を圧縮するための圧縮機と、
外気を取り込むための第１の送風機と、
前記圧縮機で圧縮された前記冷媒を前記第１の送風機による外気の送風により冷却して液化するための第１の熱交換器と、
前記第１の熱交換器において液化した前記冷媒を気化させるための第２の熱交換器と、
前記飼育部屋の空気を取り込んで前記第２の熱交換器に送り、前記第２の熱交換器を通過した空気を前記飼育部屋に戻すための第２の送風機と
を含むことを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明の第２の局面は、本発明の第１の局面において、
前記第２の送風機によって前記飼育部屋に戻されるべき空気が通過するように配置されたヒータを更に備えることを特徴とする。
【手続補正５】
【補正対象書類名】明細書
【補正対象項目名】０００８
【補正方法】変更
【補正の内容】
【０００８】
本発明の第３の局面は、本発明の第２の局面において、
前記飼育部屋の天井裏に配置され、前記飼育部屋の温度および湿度を検出する検出器と、
前記飼育部屋の天井裏に配置され、前記検出器による検出結果に基づいて前記圧縮機と第１および第２の送風機と前記ヒータとを動作させる電装ボックスとを更に備えることを特徴とする。
【手続補正６】
【補正対象書類名】明細書
【補正対象項目名】０００９
【補正方法】変更
【補正の内容】
【０００９】
本発明の第４の局面は、本発明の第１の局面において、
前記第２の熱交換器において生じるドレイン水を、前記圧縮機が前記冷媒を圧縮することにより生じる熱を利用して蒸発させるための蒸発装置を更に備えることを特徴とする。
【手続補正７】
【補正対象書類名】明細書
【補正対象項目名】００１１
【補正方法】変更
【補正の内容】
【００１１】
本発明の第５の局面は、本発明の第１の局面において、
前記飼育部屋の天井裏に、第１および第２室を含む機械室が設けられており、
前記第１の熱交換器および第１の送風機は前記第１室内に配置され、
前記第１室は、前記第１の送風機によって外気を取り込むための吸気口、および、前記第１の熱交換器を通過した前記外気を排出するための排気口を有し、
前記第２の熱交換器および第２の送風機は前記第２室内に配置され、
前記第２室は、前記飼育部屋から空気を取り込むための循環口、および、当該取り込まれた空気を前記第２の熱交換器を通過させた後に前記飼育部屋に戻すための循環口を有し、
前記第１室と前記第２室とは、前記第１室と前記第２室の間での空気の流れを遮断する間仕切りで仕切られていることを特徴とする。
【手続補正８】
【補正対象書類名】明細書
【補正対象項目名】００１３
【補正方法】変更
【補正の内容】
【００１３】
本発明の第６の局面は、本発明の第１の局面において、
前記飼育部屋から前記天井裏に空気が取り込まれてから当該空気が前記第２の熱交換器を通過して前記飼育部屋に戻されるまでの当該空気の流路中に配置された殺虫剤蒸散装置を更に備えることを特徴とする。
【手続補正９】
【補正対象書類名】明細書
【補正対象項目名】００１５
【補正方法】変更
【補正の内容】
【００１５】
本発明の第７の局面は、本発明の第１の局面において、
前記飼育部屋の上に取り付けられた上部ユニットと、
前記飼育部屋と前記上部ユニットとの間に介在する防振機構とを更に備え、
前記上部ユニットは機械室を含み、
前記冷房装置は前記機械室の内部に配置されていることを特徴とする。
【手続補正１０】
【補正対象書類名】明細書
【補正対象項目名】００１６
【補正方法】変更
【補正の内容】
【００１６】
本発明の第８の局面は、本発明の第７の局面において、
前記上部ユニットと前記飼育部屋を含む本体ユニットとに分離可能に構成されていることを特徴とする。
【手続補正１１】
【補正対象書類名】明細書
【補正対象項目名】００１７
【補正方法】変更
【補正の内容】
【００１７】
本発明の第９の局面は、本発明の第８の局面において、
前記防振機構は、それぞれが弾性体と当該弾性体の少なくとも一方の端部に固定された剛性の突出部とを含む複数個の防振部材からなり、
各防振部材は、前記突出部が固定される端部とは反対側の端部を前記上部ユニットまたは前記本体ユニットの一方に固定され、
前記上部ユニットまたは前記本体ユニットの他方は、各防振部材の前記突出部が挿入されるべき穴を有していることを特徴とする。
【手続補正１２】
【補正対象書類名】明細書
【補正対象項目名】００１８
【補正方法】変更
【補正の内容】
【００１８】
本発明の第１０の局面は、本発明の第８の局面において、
前記機械室と前記飼育部屋との間で空気を流通させるための第１および第２のダクトを更に備え、
前記飼育部屋は、上面を形成する天井部材を含み、
前記機械室は、下面を形成する床部材を含み、
前記防振機構は、前記上部ユニットが前記本体ユニットから分離可能なように前記飼育部屋の天井部材と前記機械室の床部材との間に介在し、
前記機械室の床部材は、前記冷房装置で冷却された空気を送り出すための第１の循環口、および、前記飼育部屋から空気を取り込むための第２の循環口を有し、
前記飼育部屋の天井部材は、前記第１のダクトを介して前記第１の循環口と連通する第３の循環口、および、前記第２のダクトを介して前記第２の循環口と連通する第４の循環口を有し、
前記飼育部屋の天井部材または前記機械室の床部材の少なくとも一方は、前記第１および第２のダクトのそれぞれの少なくとも一方の端部が圧接するように配置された弾性部材を含み、
前記冷房装置は、前記飼育部屋の空気を前記第４の循環口、前記第２のダクトおよび前記第２の循環口を介して取り込んで冷却し、当該冷却された空気を前記第１の循環口、前記第１のダクトおよび前記第３の循環口を介して前記飼育部屋に戻すことを特徴とする。
【手続補正１３】
【補正対象書類名】明細書
【補正対象項目名】００１９
【補正方法】変更
【補正の内容】
【００１９】
本発明の第１１の局面は、本発明の第１０の局面において、
前記機械室は、第１および第２室を含み、
前記第１の熱交換器および第１の送風機は前記第１室内に配置され、
前記第１室は、前記第１の送風機によって外気を取り込むための吸気口、および、前記第１の熱交換器を通過した前記外気を排出するための排気口を有し、
前記第２の熱交換器および第２の送風機は前記第２室内に配置され、
前記第２室は、前記第１および第２の循環口を有し、
前記第２の送風機は、前記第２の循環口を介して前記飼育部屋から空気を取り込んで前記第２の熱交換器に送り、前記第２の熱交換器を通過した空気を前記第１の循環口を介して前記飼育部屋に戻し、
前記第１室と前記第２室とは、前記第１室と前記第２室の間での空気の流れを遮断する間仕切りで仕切られていることを特徴とする。
【手続補正１４】
【補正対象書類名】明細書
【補正対象項目名】００２０
【補正方法】変更
【補正の内容】
【００２０】
本発明の第１の局面によれば、圧縮機や第１および第２の送風機を動作させることにより飼育部屋の冷房が行われる。すなわち、気体の冷媒が圧縮機で圧縮され、その圧縮後の冷媒は、第１の送風機により外気を送風される第１の熱交換器において液化する。この液化した冷媒が第２の熱交換器で気化し、そのときの気化熱で周囲の空気が冷やされ、その冷やされた空気が第２の送風機で飼育部屋に送られる。このようにして、ペットの飼育部屋という小さい容量の空間のみが冷房されるので、家庭用のエアコン等を利用してペットハウスの冷房を行う場合に比べ、温度（または温度および湿度）を調節するためのエネルギーコストを小さくすることができる。したがって、低コストで、夏の暑い時期にペットを熱中症から守ることができる。また、冷房のための装置が飼育部屋の天井裏に配置されているので、冷房装置を構成する機器にペットが接触したり近接したりすることがないので、ペットに起因する冷房装置の故障を防止することができる。
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】変更
【補正の内容】
【００２２】
本発明の第２の局面によれば、ヒータおよび第２の送風機を動作させることにより、季節や外部の温度に応じて飼育部屋の冷房のみならず暖房も行うことができる。そして、ペットの飼育部屋という小さい容量の空間のみが冷暖房されるので、家庭用のエアコン等を利用してペットハウスの冷暖房を行う場合に比べ、温度（または温度および湿度）を調節するためのエネルギーコストを小さくすることができる。したがって、低コストで、夏の暑い時期にペットを熱中症から守ると共に、冬の厳しい寒さからペットを守ることができる。また、冷暖房のための装置が飼育部屋の天井裏に配置されているので、ペットに起因する冷暖房装置の故障を防止することができる。
【手続補正１７】
【補正対象書類名】明細書
【補正対象項目名】００２３
【補正方法】変更
【補正の内容】
【００２３】
本発明の第３の局面によれば、飼育部屋の温度および湿度の検出結果に基づいて圧縮機と第１および第２の送風機とヒータとを動作させることにより、飼育部屋の温度および湿度を自動的に調節することできる。
【手続補正１８】
【補正対象書類名】明細書
【補正対象項目名】００２４
【補正方法】変更
【補正の内容】
【００２４】
本発明の第４の局面によれば、冷房時に第２の熱交換器において生じるドレイン水がペットハウス内で蒸発し、ドレイン水がペットハウスから排出されないので、ペットの飼い主の家屋外のみならず家屋内でも当該ペットハウスを使用することができる。なお、ドレイン水の蒸発に、圧縮機が冷媒を圧縮することにより生じる熱が利用されるので、効率よくドレイン水を蒸発させることができる。ここで、第２の熱交換器で生じるドレイン水を第１の容器で受け取り管路で第１の熱交換器近傍の第２の容器に移送し、その第２の容器からドレイン水を蒸発フィルタに吸い上げさせ、第１の熱交換器からの熱を含む外気を当該蒸発フィルタに送風する構成とすることができる。この構成によれば、更に効率よくドレイン水を蒸発させることができる。また、前記圧縮機で圧縮された冷媒を第１の熱交換器に移送するための銅管を第２の容器内に配設することにより、当該銅管内の冷媒の熱をドレイン水の蒸発に利用してもよい。
【手続補正１９】
【補正対象書類名】明細書
【補正対象項目名】００２５
【補正方法】変更
【補正の内容】
【００２５】
本発明の第５または第１１の局面によれば、飼育部屋の天井裏に設けられた機械室のうち第１室に外気を取り込んで第１の熱交換器に送風することで、圧縮された冷媒が液化し、第１の熱交換器を通過した外気は第１室から外部へ排出される。また、飼育部屋から取り込まれた空気を第２室における第２の熱交換器に送風することで当該空気が冷却され、冷却後の空気が第２室から飼育部屋に戻される。このようにして、冷房のための全ての装置が天井裏の機械室の内部に配置され、かつ、圧縮された冷媒の放熱のための外気の流れと飼育部屋の冷房のための空気の流れとが分離されるように機械室が構成されている。したがって、冷房のための各装置をペットから隔離してペットに起因する冷房装置の故障を回避しつつ、冷房装置を適切に動作させることができる。また、このような構成において、飼育部屋から取り込まれる空気の温度を検出し、その検出温度に基づいて圧縮機および第１および第２の送風機を動作させるのが好ましい。このようにすれば、冷房時において飼育部屋の温度を自動的に調節することができる。
【手続補正２０】
【補正対象書類名】明細書
【補正対象項目名】００２６
【補正方法】変更
【補正の内容】
【００２６】
本発明の第６の局面によれば、飼育部屋の冷房のための空気の循環流路中に殺虫剤蒸散装置が配置されるので、蒸散した殺虫剤が冷房のための空気の流れにしたがって流れていき、冷房機能と殺虫機能とが同時に実現される。犬の伝染病の一種であるフェラリアは蚊を介して感染し夏に感染が広がりやすいので、夏の暑い時期においては、このように冷房機能と殺虫機能とを組み合わせた構成は効果的である。また、このような構成において、殺虫剤蒸散装置に代えて又はこれと共に、除菌装置または消臭装置を備える構成とすることにより、冷房機能と除菌機能または消臭機能とを同時に実現することができる。
【手続補正２１】
【補正対象書類名】明細書
【補正対象項目名】００２７
【補正方法】変更
【補正の内容】
【００２７】
本発明の第７の局面によれば、飼育部屋の上に防振機構を介して上部ユニットが取り付けられ、その上部ユニットに含まれる機械室の内部に、蒸気圧縮冷凍サイクルを利用した冷房装置が配置されている。このため、小さいエネルギーコストで十分な冷房機能を提供しつつ、その冷房装置を構成する圧縮機等の振動が飼育部屋に伝搬するのを防振機構によって抑制することができる。
【手続補正２２】
【補正対象書類名】明細書
【補正対象項目名】００２８
【補正方法】変更
【補正の内容】
【００２８】
本発明の第８の局面によれば、ペットハウスは飼育部屋を含む本体ユニットと機械室を含む上部ユニットとに分離可能であるので、飼育部屋が損傷した場合等に本体ユニットのみを容易に交換し、冷房装置を含む上部ユニットを継続して使用することができる。これにより、冷房機能を有するペットハウスを使用するためのコストを低く抑えることができる。また、本体ユニット（の飼育部屋）の天井部材を取り外し可能な構成とすれば、上部ユニットを本体ユニットから分離することで飼育部屋の掃除が容易となる。
【手続補正２３】
【補正対象書類名】明細書
【補正対象項目名】００２９
【補正方法】変更
【補正の内容】
【００２９】
本発明の第９の局面によれば、上部ユニットまたは本体ユニットの一方に固定された各防振部材の突出部が上部ユニットまたは本体ユニットの他方（に形成された穴）に挿入されることで、上部ユニットと本体ユニットとが分離可能に結合される。したがって、防振機構を構成する防振部材の取り付けを利用することによって、上部ユニットと本体ユニットとを簡易な構成で分離できるようになっている。
【手続補正２４】
【補正対象書類名】明細書
【補正対象項目名】００３０
【補正方法】変更
【補正の内容】
【００３０】
本発明の第１０の局面によれば、飼育部屋を冷房すべく飼育部屋と機械室との間で空気を循環させるために第１および第２のダクトが設けられており、各ダクトは、少なくとも一方の端部が弾性体に圧接する構成となっている。したがって、ペットハウスを上部ユニットと本体ユニットとに容易に分離可能な構成とし、かつ、防振機構による防振機能を損なうことなく、飼育部屋と機械室との間での空気の流通機能を確保することができる。
【国際調査報告】
2009008067.tif 000024
2009008067.tif 000025
2009008067.tif 000026